(57)【特許請求の範囲】
【請求項１】
ＡＣ電源に接続されたパワーリレーと、
該パワーリレーを介して電源が供給されるヒータ用ＤＣ／ＤＣコンバータと、
該ヒータ用ＤＣ／ＤＣコンバータにより直流電源が供給される定着用ヒータと、
前記ＡＣ電源に接続された主電源スイッチを介して電源が供給され、前記定着用ヒータとは別の電気負荷に給電する他のＤＣ／ＤＣコンバータと、
前記主電源スイッチの閉により起動し、前記パワーリレーをオンにして前記ヒータ用ＤＣ／ＤＣコンバータを起動した後に前記他のＤＣ／ＤＣコンバータを起動する電源制御手段であって、前記定着用ヒータの通電電流を所定値以下に制限する電流リミットモードと、前記定着用ヒータの通電電流を定電流制御する定電流モードと、前記ヒータ用ＤＣ／ＤＣコンバータを定電圧制御する定電圧モードとを有し、画像形成装置の動作状態に応じて、前記各モードを選択的に適用する電源制御手段と、
を備える画像形成装置。
【請求項２】
ＡＣ電源に接続されたパワーリレーと、
該パワーリレーを介して電源が供給されるヒータ用ＤＣ／ＤＣコンバータと、
該ヒータ用ＤＣ／ＤＣコンバータにより直流電源が供給される定着用ヒータと、
前記ＡＣ電源に接続された主電源スイッチを介して電源が供給され、前記定着用ヒータとは別の電気負荷に給電する他のＤＣ／ＤＣコンバータと、
該定着用ヒータの温度を検出する温度検出手段と、
該定着用ヒータの印加電圧を検出する電圧検出手段と、
該定着用ヒータの通電電流を検出する電流検出手段と、
前記主電源スイッチの閉により起動して前記パワーリレーをオンにして前記ヒータ用ＤＣ／ＤＣコンバータを起動し該ヒータ用ＤＣ／ＤＣコンバータのＰＷＭ制御による前記温度の立上げの後に、該温度を所定値とするための前記ヒータ用ＤＣ／ＤＣコンバータのＰＷＭ制御による定温度制御を開始し前記他のＤＣ／ＤＣコンバータを起動し、該温度の立上げにおいては、前記ヒータ用ＤＣ／ＤＣコンバータを前記通電電流を所定値以下に制限する電流リミットモードで制御し、前記定温度制御においては、前記通電電流が所定値を超えるときは前記ヒータ用ＤＣ／ＤＣコンバータを該通電電流を定電流制御する定電流モードで制御し、前記印加電圧が所定値を超えるときは前記ヒータ用ＤＣ／ＤＣコンバータを定電圧制御する定電圧モードで制御する、電源制御手段と、
を備える画像形成装置。
【請求項３】
前記他のＤＣ／ＤＣコンバータの少なくとも１つから動作電圧を供給され、外部からの入力に応答して、画像形成のためのシーケンス制御を開始する装置動作コントローラが、前記電源制御手段にＤＣ／ＤＣコンバータの１以上の直流電圧の生成／停止を指示し、前記電源制御手段が該指示に応答して該１以上のＤＣ／ＤＣコンバータの直流電圧の生成／停止を制御する、請求項１又は２に記載の画像形成装置。
【請求項４】
前記主電源スイッチのオンによるＡＣ電源の供給に応答して前記電源制御手段への給電を開始する初期給電手段；を更に備え、前記電源制御手段は、該初期給電手段より初期給電を受けると、前記装置動作コントローラに給電するＤＣ／ＤＣコンバータを直流電圧の生成に駆動する、請求項３に記載の画像形成装置。
【請求項５】
前記装置動作コントローラは、前記電源制御手段がすべてのＤＣ／ＤＣコンバータを直流電圧の生成に駆動してから、前記電気負荷の物理状態もしくは前記電気負荷によって駆動される物体の位置を、待機時宛てのものとするホーミングを行う、請求項４に記載の画像形成装置。
【請求項６】
前記装置動作コントローラはホーミング終了後は、電力供給が不要な電気負荷に給電するＤＣ／ＤＣコンバータの直流電圧の生成停止を、前記電源制御手段に指示する、請求項５に記載の画像形成装置。
【発明の詳細な説明】
【０００１】
【発明の属する技術分野】
本発明は、定着用ヒータをＤＣ電源で駆動する画像形成装置に関し、特に、定着用ヒータに通電する、デジタル制御方式のスイッチングＤＣ電源に関する。
【０００２】
【従来技術】
従来は定着用ヒータには交流電源を入力し、ヒータと直列に設けたトライアックのオンオフにより、ヒータへの通電電流をオンオフしてヒータの温度制御を行なっていた。このＡＣ通電方式を搭載した画像形成装置では交流電源からの入力する高調波電流および、交流電源が供給される商用電源ラインのインピーダンスによる電源電圧変動などの電源環境への影響を低減するために、トライアックの通電時間を制限するソフトスタートなどの制御を行なっていた。
【０００３】
特開２０００−１４１４４号公報には、スイッチングＤＣ電源の出力が過電流になるとラッチをセットしてその出力でスイッチングのＯＮを停止し、次のスイッチング周期の始点でラッチをリセットしてＯＮを開始する、過電流状態の発生時に迅速に対応する制御を行うスイッチング電源装置が開示されている。
【０００４】
特開平５−１１９５５２号公報には、商用電源から画像形成に必要な複数の電源を形成出力すると共に、出力電圧を機器の動作状態に対応して変更制御する提案がある。
【０００５】
特開平６−２３０７０２号公報には、ヒータのオン直後の突入電流を抑制するソフトスタートの一態様を開示している。
【０００６】
【発明が解決しようとする課題】
ソフトスタートにより電源環境への影響を低減することが可能となったが、ソフトスタート時の通電時間が交流電源の一周期の内の僅かの時間となるため、定着ヒータの温度の立上り時間を早くできない副作用があった。また、通電が間欠となるため、定着ヒータの温度リップルが大きくなる不具合もあった。
【０００７】
そこで本発明は、電源環境への影響低減と立上り時間短縮を両立させることを第１の目的とし、定着ヒータの温度リップルを低減することを第２の目的とし、定着ヒータあるいはその給電回路の過電流保護を第３の目的とし、省エネルギーを第４の目的とする。
【０００８】
【課題を解決するための手段】
（１）ＡＣ電源に接続されたパワーリレー(RA2)と、
該パワーリレー(RA2)を介して電源が供給されるヒータ用ＤＣ／ＤＣコンバータ(PC5)と、
該ヒータ用ＤＣ／ＤＣコンバータにより直流電源が供給される定着用ヒータ(123C)と、
前記ＡＣ電源に接続された主電源スイッチ(Swap)を介して電源が供給され、前記定着用ヒータとは別の電気負荷に給電する他のＤＣ／ＤＣコンバータ(PC2-PC4)と、
前記主電源スイッチ(Swap)の閉により起動し、前記パワーリレー(RA2)をオンにして前記ヒータ用ＤＣ／ＤＣコンバータを起動した後に前記他のＤＣ／ＤＣコンバータを起動する電源制御手段であって、前記定着用ヒータの通電電流を所定値以下に制限する電流リミットモードと、前記定着用ヒータの通電電流を定電流制御する定電流モードと、前記ヒータ用ＤＣ／ＤＣコンバータを定電圧制御する定電圧モードとを有し、画像形成装置の動作状態に応じて、前記各モードを選択的に適用する電源制御手段と、
を備える画像形成装置。
以上
【０００９】
なお、理解を容易にするためにカッコ内には、図面に示し後述する実施例の対応要素又は相当要素もしくは対応事項の記号を、参考までに付記した。以下も同様である。
【００１０】
これによれば、電源制御手段でヒータ用のＤＣ／ＤＣコンバータと他のＤＣ／ＤＣコンバータの起動時間に時間差を設けるようにしたので、定着用ヒータの起動時に画像形成装置で消費することが許容される電力に占めるヒータへの投入電力の比率を大きくすることができる。また、これにより電源環境への影響も低減できる。
【００１１】
（２）ＡＣ電源に接続されたパワーリレー（ＲＡ２）と、
該パワーリレー（ＲＡ２）を介して電源が供給されるヒータ用ＤＣ／ＤＣコンバータ（ＰＣ５）と、
該ヒータ用ＤＣ／ＤＣコンバータにより直流電源が供給される定着用ヒータ（１２３Ｃ）と、
前記ＡＣ電源に接続された主電源スイッチ（Ｓｗａｐ）を介して電源が供給され、前記定着用ヒータとは別の電気負荷に給電する他のＤＣ／ＤＣコンバータ（ＰＣ２−ＰＣ４）と、
該定着用ヒータの温度を検出する温度検出手段（TH）と、
該定着用ヒータの印加電圧を検出する電圧検出手段（VSEN5）と、
該定着用ヒータの通電電流を検出する電流検出手段（Isen1）と、
前記主電源スイッチ（Ｓｗａｐ）の閉により起動して前記パワーリレー（ＲＡ２）をオンにして前記ヒータ用ＤＣ／ＤＣコンバータを起動し該ヒータ用ＤＣ／ＤＣコンバータのＰＷＭ制御による前記温度の立上げの後に、該温度を所定値とするための前記ヒータ用ＤＣ／ＤＣコンバータのＰＷＭ制御による定温度制御を開始し前記他のＤＣ／ＤＣコンバータを起動し、該温度の立上げにおいては、前記ヒータ用ＤＣ／ＤＣコンバータを前記通電電流を所定値以下に制限する電流リミットモードで制御し、前記定温度制御においては、前記通電電流が所定値を超えるときは前記ヒータ用ＤＣ／ＤＣコンバータを定電流制御する定電流モードで制御し、前記印加電圧が所定値を超えるときは前記ヒータ用ＤＣ／ＤＣコンバータを定電圧制御する定電圧モードで制御する、電源制御手段と、
を備える画像形成装置。
【００１２】
これによれば、電源制御手段でヒータ用のＤＣ／ＤＣコンバータと他のＤＣ／ＤＣコンバータの起動時間に時間差を設けるようにしたので、定着用ヒータの起動時に画像形成装置で消費することが許容される電力に占めるヒータへの投入電力の比率を大きくすることができる。
【００１３】
また、これにより電源環境への影響も低減できる。さらにヒータ用ＤＣ／ＤＣコンバータの出力制御を、ヒータ印加電圧および通電電流が各所定値以上（異常）か否（正常）に応じて切り替えるようにしたので、ヒータに連続的にＤＣ通電し、温度リップルを低減した画像形成装置を提供することができる。定着ヒータおよびその給電回路の過電流保護が実現する。
【００１４】
（３）前記他のＤＣ／ＤＣコンバータの少なくとも１つ（ＰＣ１）から動作電圧を供給され、外部からの入力に応答して、画像形成のためのシーケンス制御を開始する装置動作コントローラ（６０）が、前記電源制御手段（８５）にＤＣ／ＤＣコンバータの１以上（ＰＣ２〜ＰＣ５）の直流電圧の生成／停止を指示し、前記電源制御手段（８５）が該指示に応答して該１以上のＤＣ／ＤＣコンバータ（ＰＣ２〜ＰＣ５）の直流電圧の生成／停止を制御する、上記（１）又は（２）に記載の画像形成装置。
【００１５】
（４）前記主電源スイッチ（ＳＷａｐ）のオンによるＡＣ電源の供給に応答して前記電源制御手段（８５）への給電を開始する初期給電手段（ＲＡ１，８３，８４）；を更に備え、前記電源制御手段（８５）は、該初期給電手段より初期給電を受けると、前記装置動作コントローラ（６０）に給電するＤＣ／ＤＣコンバータ（ＰＣ１）を直流電圧の生成に駆動する、上記（３）に記載の画像形成装置。
【００１６】
これによれば、主電源スイッチ（ＳＷａｐ）がオンになると、初期給電手段（ＲＡ１，８３，８４）が電源制御手段（８５）に給電する。すなわち電源制御手段（８５）の電源が入る。そして、電源制御手段（８５）が装置動作コントローラ（６０）に給電するＤＣ／ＤＣコンバータ（ＰＣ１）を直流電圧の生成に駆動するので、装置動作コントローラ（６０）による状態認知および制御が可能となる。
【００１７】
（５）前記装置動作コントローラ（６０）は、前記電源制御手段（８５）がすべてのＤＣ／ＤＣコンバータ（ＰＣ１〜ＰＣ５）を直流電圧の生成に駆動してから、前記電気負荷の物理状態もしくは前記電気負荷によって駆動される物体の位置を、待機時宛てのものとするホーミングを行う、上記（４）の画像形成装置。
【００１８】
これによれば、すべてのＤＣ／ＤＣコンバータ（ＰＣ１〜ＰＣ５）が起動してから各部のホーミング動作が行なわれる。ホーミング動作終了後は、仮に電力供給不要な各部への給電を遮断しても、次に稼動を求められた時点においてそれから電力の供給を行っても、正しい位置から正しい処理を問題無く行うことができる。
【００１９】
（６）前記装置動作コントローラ（６０）はホーミング終了後は、電力供給が不要な電気負荷に給電するＤＣ／ＤＣコンバータ（ＰＣ２〜ＰＣ４）の直流電圧の生成停止を、前記電源制御手段（８５）に指示する、上記（５）の画像形成装置。
【００２０】
ホーミング動作終了後は、電力供給不要な各部の電力を一時遮断するので、次に稼動を求められた時点において、それから電力の供給を行っても、正しい位置から正しい処理を問題無く行うことができる。
【００２１】
（７）前記装置動作コントローラ（６０）が前記他のＤＣ／ＤＣコンバータ（ＰＣ４）の直流電圧生成の指示を発っしてから、該ＤＣ／ＤＣコンバータ（ＰＣ４）の出力が設定値に立上るまでの遅れ時間データを格納するメモリ（６０）；を更に備え、前記装置動作コントローラ（６０）は、外部からの入力に応答して該ＤＣ／ＤＣコンバータ（ＰＣ４）の直流電圧生成を前記電源制御手段（８５）に指示してから、前記メモリ（６０）の遅れ時間の経過後に、該ＤＣ／ＤＣコンバータ（ＰＣ４）から給電される電気負荷の駆動を開始する；上記（３）乃至（６）のいずれか１つに記載の画像形成装置。
【００２２】
これによれば画像形成装置において、上記（３）乃至（６）に記載の作用効果が得られる。
【００２３】
（８）画像形成装置は、感光体（１１４），これを荷電する帯電器（１１９），感光体の帯電面に画像光を露光する露光装置（１４１−１４６），露光によって生成した静電潜像を顕像にする現像器（１２０），該顕像を転写紙に転写する手段（１１５，１１６，１１７），転写紙の顕像を該転写紙に固着する定着装置（１２３）、および、これらの画像形成要素を駆動する電気アクチュエータおよび電気回路（４）、を含む画像形成装置（１００）である、上記（３）乃至（７）のいずれか１つに記載の画像形成装置。
【００２４】
これによれば、上記（３）乃至（７）に記載の作用効果がある画像形成装置（プリンタ１００）が実現する。
【００２５】
（９）更に、原稿の画像を読み取る画像スキャナ（10）を備える、上記（８）に記載の画像形成装置。
【００２６】
これによれば、上記（３）乃至（７）に記載の作用効果がある画像形成装置（複写機；図１）が実現する。
【００２７】
本発明の他の目的および特徴は図面を参照した以下の実施例の説明により明らかになろう。
【００２８】
【実施例】
図１に本発明の１実施例であるデジタル複写機の外観を示す。このデジタル複写機は、大略で、自動原稿送り装置〔ＡＤＦ〕３０と、操作部２０と、カラースキャナ１０と、カラープリンタ１００と、中継ユニット３２と、ステープラ及び作像された用紙を大量に積載可能なシフトトレイ付きのフィニッシャ３４と、両面反転ユニット３３と、給紙バンク３５と、大容量給紙トレイ３６及び１ビン排紙トレイ３１、の各ユニットで構成されている。
【００２９】
図２に、カラープリンタ１００の構成を示す。露光手段としての書き込み光学ユニットは、スキャナ１０からのカラー画像データを光信号に変換して、原稿画像に対応した光書き込みを行い、感光体ドラム１１４に静電潜像を形成する。光書き込み光学ユニットは、レーザー発光器１４１、これを発光駆動する発光駆動制御部（図示省略）、ポリゴンミラー１４３、これを回転駆動する回転用モータ１４４、ｆθレンズ１４２、反射ミラー１４６などで構成されている。感光体ドラム１１４は、矢印で示す如く反時計廻りの向きに回転するが、その周りには、感光体クリーニングユニット１２１、除電ランプ１１４Ｍ、帯電器１１９、感光体ドラム上の潜像電位を検知する電位センサー１１４Ｄ、リボルバー現像装置１２０の選択された現像器、現像濃度パターン検知器１１４Ｐ、中間転写ベルト１１５などが配置されている。
【００３０】
リボルバー現像装置１２０は、ＢＫ現像器１２０Ｋ、Ｃ現像器１２０Ｃ、Ｍ現像器１２０Ｍ、Ｙ現像器１２０Ｙと、各現像器を矢印で示す如く反時計回りの向きに回転させる、リボルバー回転駆動部（図示省略）などからなる。これら各現像器は、静電潜像を顕像化するために、現像剤の穂を感光体ドラム１１４の表面に接触させて回転する現像スリーブ１２０ＫＳ、１２０ＣＳ、１２０ＭＳ、１２０ＹＳと、現像剤を汲み上げ撹拌するために回転する現像パドルなどで構成されている。待機状態では、リボルバー現像装置１２０はＢＫ現像器１２０で現像を行う位置にセットされており、コピー動作が開始されると、スキャナ１０で所定のタイミングからＢＫ画像データの読み取りがスタートし、この画像データに基づき、レーザー光による光書き込み・潜像形成が始まる。以下、Ｂｋ画像データによる静電潜像をＢｋ潜像という。Ｃ、Ｍ、Ｙの各画像データについても同じ。このＢｋ潜像の先端部から現像可能とすべく、Ｂｋ現像器１２０Ｋの現像位置に潜像先端部が到達する前に、現像スリーブ１２０ＫＳを回転開始して、Ｂｋ潜像をＢｋトナーで現像する。そして、以後、Ｂｋ潜像領域の現像動作を続けるが、潜像後端部がＢｋ潜像位置を通過した時点で、速やかに、Ｂｋ現像器１２０Ｋによる現像位置から次の色の現像器による現像位置まで、リボルバー現像装置１２０を駆動して回動させる。この回動動作は、少なくとも、次の画像データによる潜像先端部が到達する前に完了させる。
【００３１】
像の形成サイクルが開始されると、感光体ドラム１１４は矢印で示すように反時計廻りの向きに回動し、中間転写ベルト１１５は図示しない駆動モータにより、時計廻りの向きに回動する。中間転写ベルト１１５の回動に伴って、ＢＫトナー像形成、Ｃトナー像形成、Ｍトナー像形成およびＹトナー像形成が順次行われ、最終的に、ＢＫ、Ｃ、Ｍ、Ｙの順に中間転写ベルト１１５上に重ねてトナー像が形成される。ＢＫ像の形成は、以下のようにして行われる。すなわち、帯電器１１９がコロナ放電によって、感光体ドラム１１４を負電荷で約−７００Ｖに一様に帯電する。つづいて、レーザダイオード１４１は、Ｂｋ信号に基づいてラスタ露光を行う。このようにラスタ像が露光されたとき、当初、一様に荷電された感光体ドラム１１４の露光された部分については、露光光量に比例する電荷が消失し、静電潜像が形成される。リボルバー現像装置１２０内のトナーは、フェライトキャリアとの撹拌によって負極性に帯電され、また、本現像装置のＢＫ現像スリーブ１２０ＫＳは、感光体ドラム１１４の金属基体層に対して図示しない電源回路によって、負の直流電位と交流とが重畳された電位にバイアスされている。この結果、感光体ドラム１１４の電荷が残っている部分には、トナーが付着せず、電荷のない部分、つまり、露光された部分にはＢｋトナーが吸着され、潜像と相似なＢｋ可視像が形成される。中間転写ベルト１１５は、駆動ローラ１１５Ｄ、転写対向ローラ１１５Ｔ、クリーニング対向ローラ１１５Ｃおよび従動ローラ群に張架されており、図示しない駆動モータにより回動駆動される。さて、感光体ドラム１１４上に形成したＢｋトナー像は、感光体と接触状態で等速駆動している中間転写ベルト１１５の表面に、ベルト転写コロナ放電器（以下、ベルト転写部という。）１１６によって転写される。以下、感光体ドラム１１４から中間転写ベルト１１５へのトナー像転写を、ベルト転写と称する。感光体ドラム１１４上の若干の未転写残留トナーは、感光体ドラム１１４の再使用に備えて、感光体クリーニングユニット１２１で清掃される。ここで回収されたトナーは、回収パイプを経由して図示しない排トナータンクに蓄えられる。
【００３２】
なお、中間転写ベルト１１５には、感光体ドラム１１４に順次形成する、Ｂｋ、Ｃ、Ｍ、Ｙのトナー像を、同一面に順次、位置合わせして、４色重ねのベルト転写画像を形成し、その後、転写紙にコロナ放電転写器にて一括転写を行う。ところで、感光体ドラム１１４側では、ＢＫ画像の形成工程のつぎに、Ｃ画像の形成工程に進むが、所定のタイミングから、スキャナ１０によるＣ画像データの読み取りが始まり、その画像データによるレーザー光書き込みで、Ｃ潜像の形成を行う。Ｃ現像器１２０Ｃは、その現像位置に対して、先のＢｋ潜像後端部が通過した後で、かつ、Ｃ潜像先端が到達する前に、リボルバー現像装置の回転動作を行い、Ｃ潜像をＣトナーで現像する。以降、Ｃ潜像領域の現像をつづけるが、潜像後端部が通過した時点で、先のＢｋ現像器の場合と同様にリボルバー現像装置１２０を駆動して、Ｃ現像器１２０Ｃを送り出し、つぎのＭ現像器１２０Ｍを現像位置に位置させる。この動作もやはり、つぎのＭ潜像先端部が現像部に到達する前に行う。なお、ＭおよびＹの各像の形成工程については、それぞれの画像データの読み取り、潜像形成、現像の動作が、上述のＢｋ像や、Ｃ像の工程に準ずるので、説明は省略する。
【００３３】
ベルトクリーニング装置１１５Ｕは、入口シール、ゴムブレード、排出コイルおよび、これら入口シールやゴムブレードの接離機構により構成される。１色目のＢｋ画像をベルト転写した後の、２、３、４色目を画像をベルト転写している間は、ブレード接離機構によって、中間転写ベルト面から入口シール、ゴムブレードなどは離間させておく。
【００３４】
紙転写コロナ放電器（以下、紙転写器という。）１１７は、中間転写ベルト１１５上の重ねトナー像を転写紙に転写するべく、コロナ放電方式にて、ＡＣ＋ＤＣまたは、ＤＣ成分を転写紙および中間転写ベルトに印加するものである。
【００３５】
転写紙カセット１８２Ｅおよび給紙バンク３５には、各種サイズの転写紙が収納されており、指定されたサイズの用紙を収納しているカセットから、給紙コロ１８３Ｅ等によってレジストローラ対１１８Ｒ方向に給紙・搬送される。なお、符号１１２Ｂ２は、ＯＨＰ用紙や厚紙などを手差しするための給紙トレイを示している。像形成が開始される時期に、転写紙は前記いずれかの給紙トレイから給送され、レジストローラ対４１８Ｒのニップ部にて待機している。そして、紙転写器１１７に中間転写ベルト１１５上のトナー像の先端がさしかかるときに、丁度、転写紙先端がこの像の先端に一致する如くにレジストローラ対１１８Ｒが駆動され、紙と像との合わせが行われる。このようにして、転写紙が中間転写ベルト上の色重ね像と重ねられて、正電位につながれた紙転写器１１７の上を通過する。このとき、コロナ放電電流で転写紙が正電荷で荷電され、トナー画像の殆どが転写紙上に転写される。つづいて、紙転写器１１７の左側に配置した図示しない除電ブラシによる分離除電器を通過するときに、転写紙は除電され、中間転写ベルト１１５から剥離されて紙搬送ベルト１２２に移る。中間転写ベルト面から４色重ねトナー像を一括転写された転写紙は、紙搬送ベルト１２２で定着器１２３に搬送され、所定温度にコントロールされた定着ローラ１２３Ａと加圧ローラ１２３Ｂのニップ部でトナー像を溶融定着され、排出ロール対１２４で本体外に送り出され、図示省略のコピートレイに表向きにスタックされる。
【００３６】
定着ローラ１２３Ａの内部には、定着ヒータ（ハロゲンランプ）１２３Ｃがあり、この定着ヒータ１２３Ｃに、電源制御板８０（図３）上のＤＣ／ＤＣコンバータＰＣ５（図４）が通電し、これにより定着ヒータ１２３Ｃが発熱し且つ赤外線を発生して、定着ローラ１２３Ｃを加熱する。
【００３７】
なお、ベルト転写後の感光体ドラム１１４は、ブラシローラ、ゴムブレードなどからなる感光体クリーニングユニット１２１で表面をクリーニングされ、また、除電ランプ１１４Ｍで均一除電される。また、転写紙にトナー像を転写した後の中間転写ベルト１１５は、再び、クリーニングユニット１１５Ｕのブレード接離機構でブレードを押圧して表面をクリーニングする。リピートコピーの場合には、スキャナの動作および感光体への画像形成は、１枚目の４色目画像工程にひきつづき、所定のタイミングで２枚目の１色目画像工程に進む。中間転写ベルト１１５の方は、１枚目の４色重ね画像の転写紙への一括転写工程にひきつづき、表面をベルトクリーニング装置でクリーニングされた領域に、２枚目のＢｋトナー像がベルト転写されるようにする。その後は、１枚目と同様動作になる。
【００３８】
図３に、図１に示す複写機の電気系システムの概要を示す。複写機メカ制御部すなわち画像読取りおよび画像形成プロセス制御の主要部に、メイン制御板５０上の１つのＭＰＵ５１と、スキャナ制御板１１上の１つのＣＰＵ１２が用いられている。ＭＰＵ５１は作像シーケンスおよび定着制御とシステム関係の制御を、ＣＰＵ１２はスキャナ関係の制御をそれぞれ行う。ＭＰＵ５１とＣＰＵ１２とは、画像データインターフェース及びシリアルインターフエースによって接続されている。
【００３９】
また、図３において、２０は操作部、７０はＩ／Ｏ制御板、９２は画像露光用のレーザ光を制御するＬＤ制御板、４１は給紙制御板、１３はＣＣＤを搭載する読み取り制御板、９０はマザーボード、６０，９１は、複合機能を実現するためのアプリケーション拡張ユニットで、９１は、ＦＡＸ機能を搭載したファクシミリ制御ユニット、６０は、パソコン，ワープロなどホストのドキュメントを印刷するプリンタ機能及びコピー，ファクシミリ，プリンタの複合動作モードを制御するためのプリンタコントローラ（ボード）である。８０は電源制御板（電源装置）である。電源制御板８０上には、各部電気要素すなわち電気負荷に給電するＤＣ／ＤＣコンバータおよび交流入力回路がある。
【００４０】
図４に電源制御板８０上の電源回路の概要とそれによって給電される電気負荷の概要を示す。電源回路は、交流ＡＣのノイズを除去するフィルタ８１と、交流ＡＣの入力電流値を検出する交流電流検出回路ＩＳＥＮ０と、主電源スイッチＳＷap（交流入力スイッチ）の閉（オン）によって給電される、交流電圧を整流平滑する整流平滑回路８２ａ、その出力直流が供給され各値直流電圧の生成を行う各直流電圧生成部（ＤＣ／ＤＣコンバータ）ＰＣ１〜ＰＣ４と、パワーリレーＲＡ２の閉（オン）によって給電される、交流電圧を整流平滑する整流平滑回路８２ｂ、その出力直流が供給され１００Ｖの直流電圧を定着ヒータ１２３Ｃに印加する１００Ｖ直流電圧生成部（ＤＣ／ＤＣコンバータ）ＰＣ５と、各直流電圧生成部の電圧生成（生成／停止および出力電力）を制御するデジタルコントローラ（デジタルシグナルプロセッサＤＳＰを用いた）８５、主電源スイッチＳＷapが開（ＯＦＦ）から閉（ＯＮ）に切換えられて交流電源ＡＣが印加され整流平滑回路８２ａに直流電圧が表れるとＯＮされてバッテリ８４をＤＳＰ８５に印加するスイッチ回路（ＳＷ）８３、このスイッチ回路８３がＯＮすると、ＤＳＰ８５に必要な電源電圧を供給するバッテリ８４、および、パワーリレーＲＡ２に給電する制御リレーＲＡ３とこれに通電するリレードライバ、よりなる。
【００４１】
５〜３８Ｖの各直流電圧生成部ＰＣ１〜ＰＣ４は、スキャナモータ、ＡＤＦ（原稿自動送り装置）などの負荷につながり、各負荷に必要な電圧を供給する。１００Ｖ直流電圧生成部ＰＣ５は、定着ヒータ１２３Ｃに１００Ｖを印加する。
【００４２】
ＤＳＰ８５は、マザーボード９０に搭載のプリンタコントローラ６０とＵＡＲＴ（ユニバーサル・アシンクロナス・レシーバ・トランスミッタ：シリアル通信）による通信を行う。図示しないが、プリンタコントローラ９０は、ＣＰＵ，不揮発性メモリ，ＲＯＭ，ＲＡＭおよび画像メモリを含むコンピュータシステムである。
【００４３】
図５に、図４に示すスイッチ回路８３と、５Ｖ生成部ＰＣ１および１００Ｖ生成部ＰＣ５の構成を示す。１００Ｖ商用交流電圧が、主電源スイッチＳＷapのオンによりノイズフィルタ８１を通して、整流平滑回路８２ａに印加される。
【００４４】
ノイズフィルタ８１は、１００Ｖ商用交流ラインの高周波ノイズがスイッチング電源すなわちＤＣ／ＤＣコンバータＰＣ１〜ＰＣ５の内部に入るのを遮断し、しかもスイッチング電源が発生する高周波ノイズが商用交流ラインに漏出するのを防ぐ入力フィルタである。交流電圧はこの入力フィルタを通して、全波整流ダイオードブリッジと平滑コンデンサで構成される整流平滑回路８２ａ，８２ｂに印加される。
【００４５】
また、整流平滑回路８２ａの出力電圧は抵抗とリレーＲＡ１からなる起動回路にも加わる。整流平滑回路８２ａの出力電圧が加わると、リレーＲＡ１の、スイッチ回路（ＳＷ）８３のダイオードＤ４とＤＳＰ８５の動作電圧入力端Ｖｃｃの間に介挿したリレー接点をリレー接片ＲＡ１で閉じる。ダイオードＤ４はバッテリ８４に接続しているので、バッテリ電圧がＤＳＰ８５に加わり、これによりＤＳＰ８５が起動して、５Ｖ生成部ＰＣ１に、それぞれ第１のＰＷＭパルスを出力する。
【００４６】
これにより、５Ｖ生成部ＰＣ１が動作状態になり、５Ｖ直流電圧を発生する。整流平滑回路８２ａの出力直流電圧は、５Ｖ生成部ＰＣ１の中のトランスＴＲ１の１次巻線に印加される。スイッチング素子であるＦＥＴ１がオンになると、整流平滑回路８２から、１次巻線，スイッチング素子ＦＥＴ１ならびに電流値検出回路ＩＳＥＮ１介して、１次側グランドに電流が流れる。
【００４７】
ドライブ回路ＤＲＩＶ１は、ＤＳＰ８５のスイッチングＯＮ／ＯＦＦ信号である第１のＰＷＭパルスを出力するＰＷＭ出力ポートにつながっている。ＤＲＩＶ１，トランスＴＲ１およびスイッチング素子ＦＥＴ１によって、１次側スイッチング回路が構成され、整流平滑回路８２の出力電圧をＰＷＭパルスに応答したスイッチングによりチョッピングして、トランスＴＲ１の１次巻線にパルス通電する。
【００４８】
トランスＴＲ１の２次側には、２次巻線に誘起したパルス状電圧を直流に変換して出力する出力回路がある。出力回路は、ダイオードＤ１，Ｄ２、チョークコイルＣＨ１、出力電圧検出回路ＶＳＥＮ１および平滑コンデンサにより構成される。
【００４９】
他の各値電圧を生成する回路ＰＣ２〜ＰＣ４の構成および動作、ならびにそれらに対するＤＳＰ８５の制御動作も同様である。しかし、生成回路の電力容量が大きい生成回路は、スイッチング素子ＦＥＴが複数個並列接続で用いられるとか、回路の温度保護用のサーミスタを付加してその電圧（温度）をＤＳＰ８５に与えて、ＤＳＰ８５で温度異常を監視するなどが行われる。
【００５０】
定着ヒータ１２３Ｃに通電する１００Ｖ直流生成部ＰＣ５には、負過電流値を検出する電流検出回路ＩＳＥＮ１および定着ヒータ１２３Ｃまわりの定着温度を検出するサーミスタＴＨがある。
【００５１】
プリンタコントローラ６０，Ｉ／Ｏ制御板７０およびメイン制御板５０の、省エネ待機モードでも入力監視をするＣＰＵおよびＭＰＵ、ならびに省エネ待機モードで外部入力信号を発生する回路には、５Ｖ生成部ＰＣ１が給電する。
【００５２】
図６を参照する。主電源スイッチＳＷapをオンすると（ステツプ１）、起動回路のリレーＲＡ１に電流が流れその接片ＲＡ１が接点にオンする（ステップ２）。なお、以下において、カッコ内には、ステップという語を省略して、ステップＮｏ．数字のみを記す。リレー接片ＲＡ１のオンにより、ＤＳＰ８５の電源端子Ｖccにバッテリ８４からダイオードＤ４を介して電圧が供給され、ＤＳＰ８５が起動する（３）。ＤＳＰ８５が起動すると、ＤＳＰ８５は５Ｖ直流電圧を生成するＤＣ／ＤＣコンバータＰＣ１を起動する。すなわち、それへの第１のＰＷＭパルスの出力と、その出力電圧を参照してそれが目標値５Ｖになるように、第１のＰＷＭパルスのデューティを調整するＰＷＭ制御を開始する（４）。ＤＣ／ＤＣコンバータＰＣ１が起動すると、その５Ｖ直流が、マザーボード９０のプリンタコントローラ６０およびメイン制御板５０のＭＰＵ５１（図３）ならびにそれらによる状態監視および制御に所要の回路部に供給され、エンジン制御手段（コントローラ６０のＣＰＵとＭＰＵ５１）が起動する（５）。
【００５３】
次に、ＤＳＰ８５はパワーリレーＲＡをオンにして（６）定着ヒータ用のＤＣ／ＤＣコンバータＰＣ５を起動する（７）。これは、定着ヒータ１２３Ｃを内蔵する定着ローラの熱容量が大きく、温度の立上りに時間を要するために、ＰＣ２〜ＰＣ４よりも早いタイミングで起動している。定着ヒータ１２３Ｃの温度が所定値（リロード温度：１７０℃）に達したら、立上げのための処理を終了し、定着目標温度とする温度制御に切換える（８）。この切換えを終えると、ＤＣ／ＤＣコンバータＰＣ２〜ＰＣ４を起動する（９）。これらのコンバータＰＣ２〜ＰＣ４の出力電圧がすべて所定値以上になると、ＤＳＰ８５は電源レデイをＵＡＲＴ通信によりコントローラ６０のＣＰＵに報知し、コントローラ６０のＣＰＵがこれに応答して、ＭＰＵ５１を介して、ホーミングを行う（１０）。
以上
【００５４】
このホーミングでプリンタコントローラ６０のＣＰＵは、複写機の各部位に、スキャナ位置、ＦＩＮ（フィニッシャー）のトレイ位置などホーミング位置調整のホーミング動作実行を指示する。
【００５５】
ホーミング動作が終了すれば、プリンタコントローラ６０のＣＰＵは、省電力機能が設定されているかどうかを調べ、設定されていれば、生成不要な直流電圧である、１２Ｖ生成部ＰＣ２，２４Ｖ生成部ＰＣ３および３８Ｖ生成部ＰＣ４の直流電圧生成を停止するよう、ＤＳＰ８５に指令する。これを受け、ＤＳＰ８５は上記生成部ＰＣ２〜ＰＣ４の電圧生成制御を停止する。これは、これらの生成部ＰＣ２〜ＰＣ４へのＰＷＭパルス出力ポートを、ＦＥＴオフ指示レベルに開放し、かつ、それらへのＰＷＭパルス出力を停止することにより行う。これにより、生成部ＰＣ２〜ＰＣ４の内部における電力消費も実質上なくなる。
【００５６】
以降は、複写機の通常処理を行う。通常の複写機動作は公知であるので説明を省略する。この通常処理で、公知であるが、複写又はプリント指示がなく、操作部２０に操作がなく設定時間が経過したときに、プリンタコントローラ６０のＣＰＵは、省電力モードを設定する。この実施例では、生成部ＰＣ２〜ＰＣ４の直流電圧生成を停止するよう、ＤＳＰ８５に指令する。これを受け、ＤＳＰ８５が上記生成部ＰＣ２〜ＰＣ４の電圧生成制御を停止する。
【００５７】
複写機のウォーミングアップが終了し、コピー可の状態にて、スキャン設定がされれば、例えばコンタクトガラスに原稿が置かれ、コピースタートキーが押下されれば、プリンタコントローラ６０のＣＰＵは、スキャン設定がなされたと判断し、３８Ｖ生成部ＰＣ４の直流電圧生成ＯＮをＤＳＰ８５に指令する。これを受け、ＤＳＰ８５は３８Ｖ生成部ＰＣ４へのＰＷＭパルス出力を開始し、３８Ｖ生成部ＰＣ４がスキャナモータのモータドライバに３８Ｖ電圧を供給する。プリンタコントローラ６０のＣＰＵは、プリンタコントローラ６０の内部の不揮発性メモリに持っている３８Ｖ生成部ＰＣ４の３８Ｖ電圧が立ち上がるまでの遅延時間データを基に、３８Ｖ生成部ＰＣ４のＯＮ指令を発してから該遅延時間データ分の時間が過ぎるまで、クロックパルスをカウントする。すなわち計時を行う。該遅延時間が過ぎれば、スキャナスタート可の指令を、スキャナ制御板１１上のモータコントロールユニットに指令する。
【００５８】
原稿をスキャンし終わり、スキャナー動作が不要になれば、不要になった時点にてプリンタコントローラ６０のＣＰＵは、３８Ｖ生成部ＰＣ４の３８Ｖ電圧生成を停止するようＤＳＰ８５に指令する。ＤＳＰ８５は３８Ｖ生成部ＰＣ４の３８Ｖ電圧生成制御を停止する。プリンタコントローラ６０のＣＰＵは、以降は、複写機の通常処理を行う。
【００５９】
同様に、ＡＤＦ（自動原稿送り装置）３０に原稿がセットされ、コピースタートキーが押下されれば、ＡＤＦ設定がなされたと判断し、プリンタコントローラ６０のＣＰＵは、３８Ｖ生成部ＰＣ４と２４Ｖ電圧生成部ＰＣ３の電圧生成を行うよう指令する。これを受け、ＤＳＰ８５は、３８Ｖ電圧と２４Ｖ電圧を生成制御する。これにより３８Ｖ電圧と２４Ｖ電圧がＡＤＦ３０に供給される。
【００６０】
プリンタコントローラ６０のＣＰＵは、コントローラ６０内の不揮発性メモリに持っている３８Ｖ生成部ＰＣ４の３８Ｖ電圧と２４Ｖ生成部ＰＣ３の２４Ｖ電圧の立上りがともに完了するまでの遅延時間データを基に、ＯＮ指令発してから遅延時間データ分の時間が過ぎるまで計時する。過ぎれば、ＡＤＦ動作可の指令をＡＤＦ３０に与える。
【００６１】
ＡＤＦ３０に原稿がセットされ、コピースタートキーが押下されたときは、スキャナーも同時に動くことになるので、スキャン設定も同時に行われる。スキャン設定時の動作は上記のとおりであるので、ここでの説明は省略する。
【００６２】
ＡＤＦにセットされた原稿を全て送り終われば、ＡＤＦ非設定の状態になり、プリンタコントローラ６０のＣＰＵは、３８Ｖ生成部ＰＣ４と２４Ｖ電圧生成部ＰＣ３の電圧生成を停止するようＤＳＰ８５に指令する。これを受け、ＤＳＰ８５は、３８Ｖ電圧と２４Ｖ電圧の生成制御を停止する。すなわち、ＡＤＦ３０への給電を止める。
【００６３】
また、ＦＩＮ（フィニッシャー）使用時も同様である。周辺機のＦＩＮが複写機本体に接続され、排紙が行われるとき、ＦＩＮ設定をプリンタコントローラ６０のＣＰＵが判断する。以降の処理はスキャン設定、ＡＤＦ設定と同様である。
【００６４】
本実施例の複写機は省電力モードを持っている。これは、複写機を長時間使用しないとき、５Ｖ生成部ＰＣ１の５Ｖ電圧のみを残して、他の直流電圧は出力をオフし、また図示しないが定着ヒータへの交流電源供給をオフして、低消費電力状態を実現させるモードである。この省電力モードは複写機の操作を、あらかじめ設定した時間以上行わないとき、自動的に移行する。または、操作部２０にある電源サブキーを数秒押下すれば移行する。省電力モードの解除には、電源サブキーを数秒押下する。
【００６５】
複写機不使用のまま設定時間が経過すると、あるいは電源サブキーにより省電力モードへの移行指示があると、プリンタコントローラ６０のＣＰＵは、省電力モードを設定して、ＤＳＰ８５に５Ｖ生成部ＰＣ１以外の、直流電圧生成（ＰＣ２〜ＰＣ５）を停止するよう指令する。これに応答してＤＳＰ８５は、ＤＣ／ＤＣコンバータＰＣ２〜ＰＣ５への、第２〜第５のＰＷＭパルス出力を停止すると共に、パワーリレーＲＡ２をオフにする。
【００６６】
省電力モードを設定しているときに、電源サブキーが数秒押下され、あるいは、複写機に対するオペレータの操作又はホスト（パソコン）からのプリント指令があると、プリンタコントローラ６０のＣＰＵは、省電力モードを解除して、ＤＳＰ８５に、電源復帰を指示する。ＤＳＰ８５はこれに応答して、まずパワーリレーＲＡ２のオンとＤＣ／ＤＣコンバータＰＣ５の起動を行い、サーミスタＴＨの検出温度を参照して、それがリロード温度１７０°Ｃ未満であるとＤＣ／ＤＣコンバータＰＣ５に与える第５のＰＷＭパルスのデューティを、定着温度立ち上げ処理にて操作する。定着ヒータ１２３Ｃの温度がリロード温度１７０℃以上であった場合、あるいは立ち上げ処理にて１７０℃以上になると、ＤＳＰ８５は、第５のＰＷＭパルスのデューティを、定着目標温度とする温度制御のものに切換える。この切換えを終えると、ＤＣ／ＤＣコンバータＰＣ２〜ＰＣ４を起動する。これらのコンバータＰＣ２〜ＰＣ４の出力電圧がすべて所定値以上になると、ＤＳＰ８５は電源レデイをＵＡＲＴ通信によりコントローラ６０のＣＰＵに報知する。
【００６７】
次に、ＤＳＰ８５よる各コンバータの制御について説明する。ＤＳＰ８５は、ＤＣ／ＤＣコンバータＰＣ１〜ＰＣ４には、ほぼ同一の出力電圧制御を行なう。しかし、ＤＣ／ＤＣコンバータＰＣ５には、画像形成装置の動作モードおよび定着ヒータ１２３Ｃの物理的状態に対応して、複数の制御モードを選択的に適用する。
【００６８】
図７に、ＤＣ／ＤＣコンバータＰＣ１の制御ループの概要を示す。商用電源ＡＣからの入力を、ＦＥＴ１で約１００ＫＨｚでスイッチングしトランスＴＲ１を駆動する。トランスＴＲ２の出力を整流平滑し負荷へ供給する。出力の電圧を検出しＤＳＰ８５にフィードバックし、これが５Ｖとなるように、ＤＳＰ８５が、スイッチングのための第１のＰＷＭパルスのデューティを操作する。この制御ループによりコンバータ出力の安定化を行なっている。すなわち定電圧制御を行っている。ＤＣ／ＤＣコンバータＰＣ２〜４の制御ループもこれと同じである。
【００６９】
ＤＣ／ＤＣコンバータＰＣ５に関しては、フィードバック値をサーミスタＴＨの検出値，電圧検出回路ＶＳＥＮ５の検出電圧値あるいは電流検出回路ＩＳＥＮ１の検出電流値とする定温度制御，定電圧制御あるいは定電流制御があり、また、電流値を抑制する電流リミット制御がある。定着ローラの検出温度が所定値となるように定温度制御を実行し、画像形成装置の動作モードに応じて出力を定電流制御または定電圧制御、または出力電流を所定値以下に制限するを併用する。また、画像形成装置全体の入力電流を所定値以下に制限するために、ＤＣ／ＤＣコンバータＰＣ５の出力を制限する電流リミット制御（入力電流制限制御）を行なう。
【００７０】
図８に、ＰＷＭパルスの波形を示す。ＰＷＭパルスは周期Ｔを固定として、パルスの幅Ｔ１（ＦＥＴのオン期間）をフィードバック値に応じて制御している。周期Ｔに対するパルス幅Ｔ１の比率をデューティと称している。ＰＷＭパルスのデューティとコンバータの出力の関係をＰＷＭ特性と称し、一例を図９のグラフに示す。コンバータの出力はデューティに比例するようになっている。
【００７１】
図１０のフローを参照して、定電圧制御について説明する。定電圧制御は、ＤＳＰ８５の中でソフト的に処理しており、所定の周期（具体的には１ｍｓ毎）で実行している。ＤＳＰ８５は、電圧検出回路ＶＳＥＮの電圧検出信号（ＤＣ／ＤＣコンバータの出力電圧を表す検出信号）を、Ａ／Ｄ変換してデジタル値（電圧データ）として取り込む（２１）。そして検出値（電圧データ）が正常（所定値以下）かどうか判定し（２２）、異常の場合は最小のデューティを選択し（２６）、ＰＷＭパルスに反映してコンバータへ出力する（２５）。
【００７２】
正常な場合は比例演算を行ないＰＷＭパルスの新しいデューティを決める（２３）。比例演算では出力の設定値（具体的には５Ｖ，１２Ｖ，２４Ｖ，３８Ｖ又は１００Ｖ）を目標値として、目標値と検出値との差分に応じてデューティを増減している。デューティの演算結果が正常（７０％以内）かチェックし（２４）、異常の場合（７０％超）は、許容される最大のデューティ（７０％）を選択する（２７）。正常な場合は、演算結果をＰＷＭパルスに反映してコンバータへ出力する（２５）。
【００７３】
ＤＣ／ＤＣコンバータＰＣ５でのみ行なう定電流制御も、定電圧制御と同様のアルゴリズムで処理しておりフローを図１１に示し、説明は省略する。
【００７４】
次に図１２を参照して、ＤＣ／ＤＣコンバータＰＣ５で行なっている定着ローラの温度制御について説明する。温度制御では、定着ローラ１２３Ｃの温度（サーミスタの検出値），ヒータ１２３Ｃへの印加電圧（電圧検出回路ＶＳＥＮ５の検出値）およびヒータ１２３Ｃの通電電流（電流検出回路ＶＳＥＮ１の検出値）を、それぞれＡ／Ｄ変換して読み込む（４１）。次に温度の検出値が正常（２００℃以下）か判定し（４２）、異常の場合は定着ヒータ系への通電を遮断する制御（４８，４９，５０）を行なっている。ここでは初めにＤＣ／ＤＣコンバータＰＣ５にＤＳＰ８５のポートＰＷＭ５から供給する第５のＰＷＭパルスのデューティとして最小値（具体的には０％）を選択する（４８）。次にパワーリレーＲＡ２をオフし、定着ヒータ系の回路への通電を遮断する（４９）。そしてヒータの異常状態を画像形成装置全体を制御するプリンタコントローラ６０のＣＰＵに通知する異常情報設定（５０）を行なった後、最小デューティをＰＷＭパルスに反映するデューティ更新（４７）を行なって異常処理を完了する。
【００７５】
ヒータ温度が正常な場合は、ヒータへの印加電圧とほぼ同じ（電流検出回路ＩＳＥＮ１での電圧降下が出力電圧に比べて小さいため）コンバータの出力電圧が所定値（具体的には１３０Ｖ）以下（正常）か判定し（４３）、異常の場合は出力電圧を１３０Ｖ以下に制御する定電圧制御を実施する（５１，５２）。しかしここで通電電流が異常（１３Ａ超）であると、ＰＷＭパルスを最小デューティ（０％）にする（５３）。
【００７６】
出力電圧が正常な場合は、ヒータの通電電流（出力電流）が所定値（具体的には１３Ａ）以下（正常）か判定し（４４）、異常の場合は通電電流を１３Ａ以下に制御する定電流制御を実施する（５４）。
【００７７】
出力電流が正常の場合は、次にＰＷＭパルスのデューティが所定値（具体的には７０％）以下（正常）か判定し（４５）、異常の場合は最大のデューティ（具体的には７０％）を選択する（５５）。デューティが正常の時は新しいデューティを比例演算で算出し（４６）、ＰＷＭパルスに反映して処理を完了する（４７）。
【００７８】
以上のように、この温度制御処理では定着用ヒータの温度を目標の値に保つために、定電圧制御と定電流制御を併用している。
【００７９】
定着用のヒータ１２３Ｃに周知のハロゲンヒータを用いている。ハロゲンヒータは起動時の温度が低い時にはインピーダンスが低く、大きな突入電流が流れる。従来はこれを低減するために交流一周期内での通電時間を徐々に大きくしていくソフトスタートの制御が行なわれていた。ソフトスタート期間は通電時間の比率が小さく温度の立上り時間が遅くなることがあった。これに対し、この実施例では、大きな突入電流が流れるとき、図１２ｋステップ４４からステップ５４の定電流制御に進み、そこでＰＷＭデューテイを最小値（０％）にして（図１１の３２−３６−３５）電流値が所定値（１３Ａ）以下に下がってから（出力電流が正常に戻ると）ＰＷＭデューテイを正常値にもどす（図１２の４４，４５，４６）ので、すなわち自動的に通電電流を最大に制限する電流リミットが行われ、通電電流が所定値以下となるようにヒータへの印加電圧（デューティ）が下がるので、結局突入電流が流れる温度域では、時系列平均では、低い電圧で連続的に通電するという結果になる。
【００８０】
【発明の効果】
電源制御手段でヒータ用のＤＣ／ＤＣコンバータＰＣ５と他のＤＣ／ＤＣコンバータＰＣ２〜ＰＣ４の起動タイミングに時間差を設けるようにしたので、定着用ヒータの起動時に画像形成装置で消費することが許容される電力に占めるヒータへの投入電力の比率を大きくすることができる。また、これにより電源環境への影響も低減できる。さらにヒータの印加電圧と通電電流を制御する手段（ＤＳＰ８５：図１２）を設けることでヒータに連続的にＤＣ通電し、温度リップルを低減した画像形成装置を提供することができる。
【図面の簡単な説明】
【図１】  本発明の一実施例であるカラー複写機の外観を示す正面図である。
【図２】  図１に示すカラープリンタ１００の内部機構の概要を示す縦断面図である。
【図３】  図１に示す複写機の電気系統のシステム構成を示すブロック図である。
【図４】  図３に示す電源制御板８０上の、電源回路の概要を示すブロック図である。
【図５】  図４に示す５Ｖ生成部ＰＣ１，１００Ｖ生成部ＰＣ５およびスイッチ回路８３の電気回路の概要を示すブロック図である。
【図６】  図４に示す電源回路の各部分の起動シーケンスを示すブロック図である。
【図７】  図５に示す５Ｖ生成部ＰＣ１の出力電圧制御ループを示すブロック図である。
【図８】  各生成部ＰＣ１〜ＰＣ５にＤＳＰ８５が与えるＰＷＭパルスのレベル変化を示すタイムチャートであり、横軸が時間軸である。
【図９】  各生成部ＰＣ１〜ＰＣ５の、与えられるＰＷＭパルスのデューティと出力の関係を示すグラフである。
【図１０】  ＤＳＰ８５が、各生成部ＰＣ１〜ＰＣ５に対して実行する定電圧制御の内容を示すフローチャートである。
【図１１】  ＤＳＰ８５が、１００Ｖ生成部ＰＣ５に対して実行する定電流制御の内容を示すフローチャートである。
【図１２】  ＤＳＰ８５が、１００Ｖ生成部ＰＣ５に対して実行する温度制御の内容を示すフローチャートである。
【符号の説明】
３５：給紙バンク  ３６：大量給紙トレイ
１１４：感光体    １１５：中間転写ベルト
１１６，１１７：転写チャージャ
１１９：帯電チャージャ
１２０：現像器    １２３：定着装置
１４３：ポリゴンミラー
ＲＡ１：電気リレーの電気コイル，リレー接片
ＰＣ１〜ＰＣ７：スイッチング制御のＤＣ／ＤＣコンバータ
ＤＲＩＶ１：スイッチングドライバ
ＩＳＥＮ０，１：電流検出回路
ＶＳＥＮ１，５：電圧検出回路
ＣＶ１：定電圧回路
ＲＡ２：パワーリレーの電気コイル，リレー接片
ＲＡ３：制御リレー
【図１】
0004812180.tif 000002
【図２】
0004812180.tif 000003
【図３】
0004812180.tif 000004
【図４】
0004812180.tif 000005
【図５】
0004812180.tif 000006
【図６】
0004812180.tif 000007
【図７】
0004812180.tif 000008
【図８】
0004812180.tif 000009
【図９】
0004812180.tif 000010
【図１０】
0004812180.tif 000011
【図１１】
0004812180.tif 000012
【図１２】
0004812180.tif 000013